(57)【特許請求の範囲】
【請求項１】
全体が樹脂製であり、縦方向に延長する線状を呈する縦線状片が、横方向に所要間隔を置いて平行状態に配設されると共に、横方向に延長する線状を呈する第１の横線状片と第２の横線状片が縦方向に所要間隔を置いて交互に平行状態で配設されることによって網目基板が形成されており、
該網目基板は、前記縦線状片と前記第１の横線状片とによって、正方形状又は長方形状の網目が縦横に設けられており、且つ、前記第２の横線状片が、各網目の、隣り合う縦線状片部分の対向部位相互を連結するように配設されており、
前記網目基板の上面において、前記網目の、前記縦線状片と前記第１の横線状片との交差部で第１の針状片が突設されると共に、前記第２の横線状片の前記対向部位相互間をなす連結片の中央部位で第２の針状片が突設されており、該第２の針状片は、前記連結片が捩れ変形することによって、縦方向で傾動可能となされており、
前記第１、第２の針状片を内側にして縦方向に巻回可能であることを特徴とする動物忌避ネット材。
【請求項２】
前記第１の針状片の突出長さは等しく設定され、且つ、前記第２の針状片の突出長さは等しく設定されており、該第２の針状片の突出長さは前記第１の針状片の突出長さよりも小さいことを特徴とする請求項１記載の動物忌避ネット材。
【請求項３】
前記網目基板の下面において、前記第１の針状片の軸線方向及び前記第２の針状片の軸線方向に、地面に食い込み可能な食い込み突部が突設されていることを特徴とする請求項１又は２記載の動物忌避ネット材。
【請求項４】
前記縦線状片と前記第１の横線状片は横断面が円形状に形成される共に、前記第２の横線状片は横断面が楕円形状に形成されていることを特徴とする請求項１、２又は３記載の動物忌避ネット材。
【請求項５】
請求項１、２、３又は４記載の動物忌避ネット材において、隣り合う前記第１の横線状片と前記第２の横線状片との間で前記縦線状片が省略されて横長矩形状を呈する収容開口が形成され、該収容開口にアンカーピンが配設されており、該アンカーピンは、横方向に延長するアンカー軸の端部に、前記縦線状片や前記第１の横線状片、前記第２の横線状片を上から押さえる押え部が設けられてなり、該アンカーピンが、該収容開口の縁部分に分離可能に取り付けられていることを特徴とする動物忌避ネット材。
【請求項６】
前記網目基板の両外端の縦線状片の外側に突出する状態で、互いに係合一体化される第１の係止部と第２の係止部が左右対向して設けられており、該第１の係止部と該第２の係止部とからなる係止部組は、縦方向に所要間隔を置いて配設されており、又、前記網目基板の内側部分にも、該第１の係止部又は第２の係止部の何れか一方としての内側の係止部が、隣り合う第１の横線状片と前記第２の横線状片との間に納まるように、該第１の横線状片又は該第２の横線状片に、その長さ方向に、前記係止部組の配設ピッチで設けられていることを特徴とする請求項１、２、３、４又は５記載の動物忌避ネット材。
【発明の詳細な説明】
【技術分野】
【０００１】
本発明は、猫や犬等の動物を寄せつけないようにするための動物忌避ネット材に関するものである。より詳しくは、例えば２０〜３０ｍ程度の長尺のものを巻回状態にして販売店に出荷でき、販売店においては、顧客の要求長さに切断して切り売りでき、購入した使用者は、これを、広い面積部分に作業性よく敷設して猫や犬等の動物を忌避し得る動物忌避ネット材に関するものである。
【背景技術】
【０００２】
花壇や庭、プランター等に猫や犬が入り込んで荒らしたり、糞をしたりすることがよくあることに鑑み、猫や犬等の動物を寄せつけないようにするための動物避け具が、実開平８−２９８９１４号公報で提案されている。
【０００３】
該動物避け具は、縦部材と横部材とで格子状に形成された基板と、この基板の縦部材と横部材との交差部分の上面に針状の動物避け部を突設した構成を有していた。そして該動物避け具は、庭等に敷設することで、針状の動物避け部が表面で突出状態となるために、この針状の動物避け部がここを通過しようとする猫や犬の足裏面に痛さを与えることから、猫や犬はここを通るのを嫌がるようになり、これによって動物が寄りつかなくなるようにせんとするものであった。
【０００４】
しかしながら、かかる構成を有する動物避け具は、縦横の寸法が所要に設定された一枚板状を呈しており、設置場所の面積に応じてこれを多数枚繋いで使用するものであったため、その設置作業に手間を要して作業性に劣る問題があった。
【０００５】
又、前記従来の動物避け具にあっては、針状の動物避け部の突出長さが全て等しく設定されて上面（忌避面）が水平面に形成されており、この上面に猫や犬が乗った場合、その荷重が足裏面に存する一纏まりの針状の動物避け部によって均等に支持された状態となり易すかったため、該針状の動物避け部が足裏面に与える痛さの程度、即ち動物を忌避する効果に関して改善の余地があった。
【０００６】
【特許文献１】特開平８−２９８９１４号公報
【発明の開示】
【発明が解決しようとする課題】
【０００７】
本発明は前記従来の問題点に鑑みて開発されたものであり、購入した使用者が作業性よく地面等に敷設できるようにするために、顧客の要求長さに応じた切り売りを可能ならしめるよう、長尺のものを直径をより小さくして無理なく巻回できる動物忌避ネット材の提供を課題とするものである。
【０００８】
又本発明は、足裏面に痛さをより強く感じさせて猫や犬等の動物の忌避効果を向上させ得る、動物忌避ネット材の提供を課題とするものである。
【０００９】
更に又、地面に敷設した場合における敷設状態の安定性向上を達成させ得る動物忌避ネット材の提供を課題とするものである。
【００１０】
更に進んで、地面に敷設した後にこれを確実に地面に固定するために用いるアンカーピンが組付けられているにも関わらず該アンカーピンが前記巻回の障害とならない動物忌避ネット材の提供を課題とするものである。
【課題を解決するための手段】
【００１１】
前記課題を解決するため、本発明は以下の手段を採用する。
即ち本発明に係る動物忌避ネット材は、全体が樹脂製であり、縦方向に延長する線状を呈する縦線状片が、横方向に所要間隔を置いて平行状態に配設されると共に、横方向に延長する線状を呈する第１の横線状片と第２の横線状片が縦方向に所要間隔を置いて交互に平行状態で配設されることによって網目基板が形成されている。該網目基板は、前記縦線状片と前記第１の横線状片とによって、正方形状又は長方形状の網目が縦横に設けられており、且つ、前記第２の横線状片が、各網目の、隣り合う縦線状片部分の対向部位相互を連結するように配設されている。そして、前記網目基板の上面において、前記網目の、前記縦線状片と前記第１の横線状片との交差部で第１の針状片が突設されると共に、前記第２の横線状片の前記対向部位相互間をなす連結片の中央部位で第２の針状片が突設されており、前記第２の針状片は、前記連結片が捩れ変形することによって、縦方向で傾動可能となされており、前記第１、第２の針状片を内側にして縦方向に巻回可能であることを特徴とするものである。
【００１２】
前記動物忌避ネット材において、前記第１の針状片の突出長さを等しく設定すると共に前記第２の針状片の突出長さを等しく設定し、該第２の針状片の突出長さは前記第１の針状片の突出長さよりも小さく設定するのがよい。
【００１３】
これらの動物忌避ネット材において、前記網目基板の下面において、前記第１の針状片の軸線方向及び前記第２の針状片の軸線方向に、地面に食い込み可能な食い込み突部を突設するのがよい。
【００１４】
又、これらの動物忌避ネット材において、前記縦線状片と前記第１の横線状片は横断面を円形状に形成すると共に、前記第２の横線状片は横断面を楕円形状に形成するのがよい。
【００１５】
又、これらの動物忌避ネット材において、隣り合う前記第１の横線状片と前記第２の横線状片との間で前記縦線状片が省略されて横長矩形状を呈する収容開口を形成し、該収容開口にアンカーピンを配設し、該アンカーピンは、横方向に延長するアンカー軸の端部に、前記縦線状片や前記第１の横線状片、前記第２の横線状片を上から押さえる押え部が設けられたものとし、該アンカーピンを、該収容開口の縁部分に分離可能に取り付ける構成を採用するのがよい。
【００１６】
又、これらの動物忌避ネット材において、前記網目基板の両外端の縦線状片の外側に突出する状態で、互いに係合一体化される第１の係止部と第２の係止部が左右対向して設けられたものとし、該第１の係止部と該第２の係止部とからなる係止部組は、縦方向に所要間隔を置いて配設されたものとし、又、前記網目基板の内側部分にも、該第１の係止部又は第２の係止部の何れか一方としての内側の係止部が、隣り合う第１の横線状片と前記第２の横線状片との間に納まるように、該第１の横線状片又は該第２の横線状片に、その長さ方向に、前記係止部組の配設ピッチで設けられたものとして構成するのがよい。
【発明の効果】
【００１７】
本発明は以下の如き優れた効果を奏する。
(1) 本発明に係る動物忌避ネット材は、前記第１、第２の針状片を内側にして縦方向に巻回可能であることから、巻回物を販売店に出荷することにより販売店においては顧客の要求に応じた所定長さで切り売りできる。かかることから購入者は、購入した忌避ネット具を、広い面積を一度に覆うように地面やコンクリート面等に敷設できるのであり、施工性に優れる利点がある。
【００１８】
(2) しかも本発明に係る動物忌避ネット材は、縦方向に延長する線状を呈する縦線状片が、縦方向に並設された第１の針状片相互を連結するようには設けられていても、縦方向に並設された第２の針状片相互を連結するようには設けられていないため、該動物忌避ネット材を第１、第２の針状片を内側にして縦方向に巻回する際、縦線状片による巻回時の抵抗がより小さくなって巻回しやすい。
然も前記第２の針状片は、前記連結片が捩れ変形することによって縦方向で傾動可能であることから、該巻回の際に第２の針状片の先側部分が第１、第２の横線状片等に接触したときに、縦方向で傾動できる。かかることから動物忌避ネット材を、直径をより小さくして巻回でき、取り扱い性に優れる。
【００１９】
(3) 特に、前記第２の針状片の突出長さを前記第１の針状片の突出長さよりも小さく設定したときは、第１、第２の針状片の上端が形成する忌避面が凹凸面に形成されることになる。従って、忌避面に乗った猫や犬等の足裏面に、主として第１の針状片の先端を当てることができ、足裏面に痛さをより強く感じさせることができて動物忌避効果を向上させ得ることとなる。
そして、第１、第２の針状片の内、突出長さの小さいものを、前記連結片で突設される第２の針状片に設定していることから、忌避ネット具の使用状態においては、前記連結片が捩れ変形可能なものではあっても該第２の針状片の立設状態の安定性を損なわないようになし得る。
【００２０】
(4) 特に、網目基板の下面において、前記第１の針状片の軸線方向及び前記第２の針状片の軸線方向に食い込み突部を突設する場合は、忌避ネット具を地面に敷設した際に該食い込み突部が地面に食い込んだ状態が得られるため、該忌避ネット具の敷設状態の安定性向上を期し得る。
【００２１】
(5) 特に、前記縦線状片と前記第１の横線状片を断面円形状とし、且つ、前記第２の横線状片を支持する連結片を断面楕円形状に形成することにより、動物忌避ネット材の巻回の容易化が図られながら、忌避ネット具を地面等に敷設した使用状態においては、その忌避面に猫や犬等が乗った際に該第２の針状片がより傾動しにくいようになし得る。
【００２２】
(6) 該忌避ネット具をアンカーピンで地面に固定する際の便宜のために、該アンカーピンを動物忌避ネット材に予め組み付けておく場合、該アンカーピンを、隣り合う第１の横線状片と第２の横線状片との間で前記縦線状片を省略して形成した横長矩形状の収容開口に、そのアンカー軸の軸線方向を横方向にして配設するときは、該アンカーピンの長さによらず、該アンカーピンが動物忌避ネット材の巻回を何ら損なわない利点がある。
【実施例１】
【００２３】
図１〜４において本発明に係る動物忌避ネット材１は、全体が樹脂製、例えばポリプロピレン製であり、縦方向に巻回可能であって、縦方向Ｆ１に延長する線状を呈する縦線状片２が、横方向Ｆ２に所要間隔Ｌ１（図３）を置いて、例えば２５ｍｍの間隔を置いて平行状態に配設される共に、横方向Ｆ２に延長する線状を呈する第１の横線状片３と第２の横線状片５が縦方向に所要間隔Ｌ２を置いて、例えば１２．５ｍｍの間隔を置いて交互に平行状態で配設されてなる網目基板６を有する。
【００２４】
該網目基板６は図３に示すように、前記縦線状片２と前記第１の横線状片３とによって、例えば正方形状の網目７が縦横に設けられている。そして前記第２の横線状片５が、各網目７の、隣り合う縦線状片部分８，８の中央部位相互を連結するように配設されており、該第２の横線状片５が網目７を前後に等分割している。
【００２５】
前記縦線状片２、前記第１の横線状片３は、図４（Ａ）に示すように断面円形状で同径に形成される一方、前記第２の横線状片５は、図４（Ｂ）に示すように断面楕円形状を呈している。その上下厚さＬ３は前記第１の横線状片３の直径Ｌ４に略等しく形成されているが、平面視で見た幅Ｌ５は、前記縦線状片２、前記第１の横線状片３の直径Ｌ４よりも稍大きく形成されている。
【００２６】
そして前記縦線状片２と前記第１の横線状片３との交差部９は、両外側縁の交差部９，９にあっては、平面視でＴ字状を呈する拡大補強交差部９ａ（図５）とされると共に、内側に存する交差部９にあっては、平面視で十字状を呈する拡大補強交差部９ｂ（図６）とされている。そして、該拡大補強交差部９ａは、本実施例においては図３、図５（Ａ）に示すように、平面視で広面積に形成されると共に、図５（Ｂ）（Ｃ）に示すように、上下方向の厚さＬ６が、比較的厚く形成されており、該交差部９ａから離れるにつれて先細化するように構成されている。又、前記拡大補強交差部９ｂは、本実施例においては図３、図６（Ａ）に示すように、平面視で広面積に形成されると共に、図６（Ｂ）（Ｃ）に示すように、上下方向の厚さＬ７が、比較的厚く形成されており、該交差部９ｂから離れるにつれて先細化するように構成されている。
【００２７】
又前記網目７の、隣り合う縦線状片部分８，８の中央部位相互を連結する連結片（第２の横線状片５の一部分をなす）１０の中央部分は、図７（Ａ）に示すように、平面視で、縦方向両側に拡がると共に厚さも比較的大きく形成された菱形状の拡大補強交差部９ｃとされており、中央部分から連結片１０の長さ方向両側に向けて徐々に先細化するように構成されている。
【００２８】
そして前記網目基板６の上面１１において、図２〜３、図５〜７に示すように、前記交差部９で、より詳しくは前記Ｔ字状の拡大補強交差部９ａの中央部位と前記十字状の拡大補強交差部９ｂの中央部位で、上端に向けて先細化する第１の針状片１２が突設されると共に、前記連結片１０の中央部位をなす前記菱形状の拡大補強交差部９ｃの中央部位で、上端に向けて先細化する第２の針状片１３が突設されている。本実施例においては、このように、該第１の針状片１２の基端部１５と、該第２の針状片１３の基端部１６が幅広の拡大補強交差部９ａ，９ｂ，９ｃで支持されているため、該第１、第２の針状片１２，１３は、より安定的な立設状態となっている。
【００２９】
ところで、隣り合う縦線状片２，２間で、前記第２の針状片１３が縦方向に並設された状態となっているが、前記第１の針状片１２における場合とは異なり、縦方向に並設されている第２の針状片１３が縦線状片２で連結された構成とはなっていない。かかることから該第２の針状片１３は、前記連結片１０の長さ方向Ｆ３には傾動しにくいが、図８〜９に矢印で示すように、前記縦方向Ｆ１には、該連結片１０が捩れ変形することによって比較的容易に傾動可能である。因みに前記第１の針状片１２は、前記縦線状片２と前記第１の横線状片３との交差部９で突設されているために、縦方向Ｆ１にも横方向Ｆ２にも傾動しにくい。
【００３０】
なお本実施例においては、前記第２の針状片１３の突出長さは前記第１の針状片１２の突出長さよりも小さく、従って図１０に示すように、該第１、第２の針状片１２，１３の先端１７，１９が形成する上面（忌避面）２０は凹凸面を呈している。該第２の針状片１３の突出長さを、より小さく設定しているのは、後述のように、猫や犬等の動物の忌避効果を向上させるためであるが、本実施例においては、前記第１の針状片１２の突出長さではなく前記第２の針状片１３の突出長さを、より小さく設定することとしている。その理由は、該第１の針状片１２を支持する前記連結片１０が縦線状片２によって支持されておらず該連結片１０の捩れ変形によって該第２の針状片１３が縦方向で傾動可能であることに鑑み、該連結片１０に突設される該第２の針状片１３の突出長さをより小さく設定することとし、該第２の針状片１３が猫等の荷重を支持したときに該連結片１０が捩れ変形しにくいようにして、該第２の針状片１３の立設状態の安定性をより良好に保つためである。
【００３１】
又図１１に示すように、前記網目基板６の下面２１において、前記第１の針状片１２の軸線方向及び前記第２の針状片１３の軸線方向に、地面に食い込み可能な、例えば円柱状を呈する食い込み突部２２，２２が突設されている。
【００３２】
かかる構成を有する動物忌避ネット材１の主要部の寸法を、図１、図３、図４、図５、図６、図７に基づいて例示すれば、その横幅Ｌ６（図１）は２７５ｍｍに設定されると共に、その長さは例えば２０〜３０ｍに設定されている。そして、正方形状を呈する前記網目７の一辺長さＬ１，Ｌ３（図３）は２５ｍｍに設定されると共に、前記縦線状片２及び前記第１の横線状片３の直径Ｌ４（図４（Ａ））は１．５ｍｍに設定されている。そして、前記第２の横線状片５の断面楕円形の長軸長さＬ５（図４（Ｂ））は２．０ｍｍに設定され、その短軸長さＬ３（図４（Ｂ））は１．５ｍｍに設定されている。又前記菱形の拡大補強交差部９ｃの、平面視縦方向幅Ｌ８（図７（Ａ））は４．８ｍｍに設定されている。又、前記第１の針状片１２の突出長さＬ９（図５（Ｂ）、図６（Ｂ））は１６．５ｍに設定され、前記第２の針状片１３の突出長さＬ１０（図７（Ｂ））は１２．５ｍに設定されている。更に、該第１、第２の針状片１２，１３の基端の径は２．５ｍｍに設定され、前記食い込み突部２２の突出長さＬ１１（図５（Ｂ）、図６（Ｂ）、図７（Ｂ））は２．５ｍｍに設定されている。
【００３３】
本実施例においては図２〜３、図１２に示すように、前記構成を有する動物忌避ネット材１の両側部分において左右対向状態で、隣り合う前記第１の横線状片３と前記第２の横線状片５との間で前記縦線状片２が省略されて、横長矩形状を呈する収容開口２３が形成されている。省略する縦線状片は複数本でもよいのであるが、本実施例においては１本としている。即ち、外端に位置する縦線状片２ａと、該縦線状片２ａから３本目の縦線状片２ｂと、隣り合う第１の横線状片３と第２の横線状片５を四辺とする横長矩形状を呈する収容開口２３が形成されている。
【００３４】
そして該収容開口２３に、横方向に延長するアンカーピン２５が配設されている。該アンカーピン２５は図３、図１２に示すように、横方向に延長するアンカー軸２６の一端部（本実施例においては前記外端の縦線状片２ａ側の端部）に、Ｕ字状に屈曲して前記縦線状片２や前記第１、第２の横線状片３，５を嵌め入れ可能となされた鉤状の押え部２７が設けられると共に、該アンカー軸２６の他方の端部には先細化するアンカー突部２９が設けられている。そして該アンカーピン２５は、本実施例においてはその横方向の両端が細い繋ぎ片３２，３２を介して、前記収容開口２３の短辺３３，３５に連結されており、これにより該アンカーピン２５が収容開口２３に一体的に組み付けられている。使用に際しては、図１３に示すように、該繋ぎ片３２，３２を鋏等で切断することにより該アンカーピン２５を分離できる。該アンカー軸２６の長さは、例えば４２ｍｍ程度に設定される。
【００３５】
又、本実施例においては図２に示すように、両外端の縦線状片２ａ，２ａの外側に突出する状態で、第１の係止部３６と第２の係止部３７が左右対向して設けられると共に、縦方向で隣り合う該第２の係止部３７，３７間の中央部位において、図２、図１２（Ｂ）に示すように、例えば前記第１の横線状片３の外端の側方に突出する如く目盛り表示片３９が突設されており、該目盛り表示片３９の上面３８に、１０ｃｍ間隔を示す１０、２０、３０、４０、５０の目盛り数字３４が付されている。
【００３６】
本発明に係る動物忌避ネット材１は、前記のように、第１、第２の針状片１２，１３を内側にして縦方向に巻回可能である。このように巻回された円柱状の巻回物４０（図１）を巻回状態で販売店に出荷し、販売店においては、顧客の求める長さ（例えば、１ｍや２ｍ或いはそれ以上の必要な長さ）に切断して忌避ネット具４１（図１８）とし、これを販売することになるのであるが、この切り売りの際に前記目盛り数字を目安にして横方向に切断できる。なお、この忌避ネット具４１に巻き癖が付いているときは、逆巻して巻き癖を除去すればよい。このように逆巻して巻き癖を除去する際、前記のように、連結片１０が縦線状片２で連結されていないために、抵抗少なく、より容易に巻き癖を除去できる。
【００３７】
なお前記アンカーピン２５は、そのアンカー軸２６の軸線方向を横方向にして前記収容開口２３に収容されているため、動物忌避ネット材１を前記のようにして縦方向に巻回する際に該アンカーピン２５が殆ど障害とならない。もしも該アンカーピン２５をそのアンカー軸２６の軸線方向を縦方向にして組み付けたとすれば、動物忌避ネット材１を縦方向に巻回する際に障害となって異常に大径の巻回物になってしまう。
【００３８】
次に、前記第１の係止部３６と前記第２の係止部３７の構成と、両者の係合作用を説明する。該第１、第２の係止部３６，３７は、本実施例においては図３、図１２、図１４に示すように、前記第１の横線状片３の左右端の外方に、側部突出片４２，４３を介して突出する如く設けられている。そして該第１、第２の係止部３６，３７からなる係止部組４４は、縦方向に所要間隔で、例えば１０ｃｍ間隔で設けられている。
【００３９】
該第１の係止部３６は、本実施例においては図１２、図１４に示すように、縦方向に稍長い矩形状の係止孔４５が上下方向で貫設された矩形状の係止枠４６からなる。又、該第２の係止部３７は、図１２、図１４に示すように、基板４７の上面前後で係止突片４９，４９が対向状態に突設されている。該係止突片４９，４９は、その外面の上側部分に、上端に向けて先細化する鋸歯状の係止突部５０，５０が突設されている。
【００４０】
かかる構成を有する第１の係止部３６と第２の係止部３７とを係合させるに際しては、図１４（Ｂ）に示すように、該第２の係止部３７を前記第１の係止部３６の下側に位置させて、該第２の係止部３７の両係止突片４９，４９を前記係止孔４５に下側から押し込む。これにより、該両係止突片４９，４９が内側に弾性変形しつつ両係止突部５０，５０の傾斜面５１，５１が前記係止枠４６の前後の内面５２，５２に案内されて該係止孔４５に押し込まれる。最終的には図１４（Ｃ）に示すように、両係止突部５０，５０の下面５３，５３が前記係止枠４６の前後の上面５５，５５に当接状態に係合でき、これにより、該第２の係止部３７が抜け止めされる。
【００４１】
然して、前記動物忌避ネット材１を所定長さに切断して形成された忌避ネット具４１を横方向に並べて地面等に敷設する際、図１５に示すように、前記第１の係止部３６と前記第２の係止部３７とを前記のように係合させることにより、忌避ネット具４１，４１を横方向に確実に連結できることになる。この連結状態において、図１６に示すように、網目基板６，６は水平状態で一連に連なる。このように連結することより、幅広の忌避面（本実施例においては凹凸の忌避面）２０を形成できることになる。
【００４２】
又本実施例においては図２〜３、図１２に示すように、網目基板６の内側部分にも前記係止枠４６からなる第１の係止部（内側の係止部）３６が配設されている。例えば図３に示すように、隣り合う第１、第２の横線状片３，５間に納まるように、且つ、前記係止孔４５の長さ方向を横方向にして、該第２の横線状片５にその長さ方向に、前記係止部組４４の配設間隔に等しい間隔で、即ち１０ｃｍ間隔で設けられている。本実施例においては、網目基板６の中央部分に位置する第２の針状片１３の側方部位と、両端の第２の針状片から二つ目の第２の針状片１３，１３の側方部位に位置させて設けられている。なお該係止枠４６は、前記第１の横線状片３に、同様にして設けられてもよい。
【００４３】
図１は、前記動物忌避ネット材１を巻回した円柱状の巻回物４０を示すものであるが、前記のように、第２の針状片１３の縦方向列には前記縦線状片２が設けられていないため、巻回時における抵抗がそれだけ小さく、出荷時における巻回作業の容易化を達成できる。このように巻回した場合、前記第２の針状片１３は、図１７（Ａ）に示すように、前記第１の横線状片３や前記第２の横線状片５に当たらないこともあるが、図１７（Ｂ）に示すように、該第２の針状片１３の先側部分５６が第１の横線状片３や第２の横線状片５に当たることがある。この場合は、該第２の針状片１３は、前記連結片１０が捩れ変形することによって縦方向で傾動できる。かかることから、動物忌避ネット材１を巻回する際の抵抗がより小さくなり、該動物忌避ネット材１を、無理なく、直径をより小さくして巻回できることになる。
【００４４】
図１８（Ａ）（Ｂ）は、かかる構成を有する動物忌避ネット材１を所定長さに切断して形成した忌避ネット具４１を、花壇５７の周囲の地面５９に敷設した状態を示すものであり、図１８（Ａ）においてはコーナ部分６０が９０度に屈曲している。この場合は、図１９に示すように、連結される忌避ネット具４１ａについて、前記第１の係止部３６が設けられている前記第２の横線状片５の際部分で前記縦線状片２を切断して後、図２０に示すように、該第１の係止部３６の前記係止枠４６を、既に敷設されている忌避ネット具４１ｂの前記第２の係止部３７の上に位置合わせして載せる。その後、前記と同様にして、該第２の係止部３７の両係止突片４９，４９を内側に弾性変形させつつ該係止孔４５に下側から押し込む。これにより、図２１に示すように、両忌避ネット具４１，４１相互が直角に確実に連結されることになり、該連結状態で、図２０（Ｃ）に示すように、忌避ネット具４１，４１の網目基板６，６が水平状態で連なることになる。
【００４５】
図１８（Ｂ）は、３枚の忌避ネット具４１，４１，４１を、コーナ部分６０を斜めにして接続した場合を示すものであり、この場合は、隣り合う忌避ネット具４１，４１の端部分６１，６１相互を重ね合わせればよい。
【００４６】
なお、このようにして敷設された忌避ネット具４１の横幅が不足する場合は、第１、第２の係止部３６，３７を前記のように係合させることによって、図２２に示すように、忌避ネット具４１を横方向に連結すればよい。
【００４７】
この敷設状態で、前記食い込み突部２２が図２３に示すように地面５９に食い込んだ状態となり得、忌避ネット具４１が安定的に地面５９に敷設されることになる。なお、該忌避ネット具４１の敷設状態の安定性をより向上させるために、前記のように分離したアンカーピン２５を用い、その押え部２７となるＵ字状鉤部６２内に前記縦線状片２や第１、第２の横線状片３，５を嵌め入れた状態で前記アンカー軸２６を地面５９に押し込む。これにより忌避ネット具４１が地面５９に確実に固定されることになる。
【００４８】
このようにして忌避ネット具４１を敷設すると、凹凸面を呈する忌避面２０が形成される。それ故、猫や犬等が該忌避面２０に乗った場合、猫等の足裏面６３の下側に存する全ての針状片の先端が該足裏面６３に均等に当たるのではなく、図２４に示すように、主として第１の針状片１２の先端１８が足裏面６３に当たることになる。かかることから、主として第１の針状片１２によって荷重が支持された状態となり、足裏面６３に痛さをより強く感じさせることができ、猫や犬等を効果的に忌避できることになる。
【００４９】
なお本実施例においては、前記第１の針状片１２の突出長さではなく、前記第２の針状片１３の突出長さをより小さく設定しているため、前記連結片１０が捩れ変形できるものではあっても、忌避ネット具４１の使用状態においては、該第２の針状片１３は、その立設状態の安定性が損なわれることなく、即ち、該第２の針状片１３が異常に傾いてしまうことなく、猫等の荷重を安定的に支持できる。それ故、猫等が、第１の針状片１２，１２，１２，１２で囲まれた空間部に足を踏み入れて、針状片による痛さをそれほど感じずに忌避面２０を移動するのを防止できることになる。
【００５０】
以上のようなことから、忌避面２０に乗った猫等がその痛さのために忌避面２０を通るのを嫌がることになり、花壇等に猫や犬等が寄りつくのを防止できることになる。
【実施例２】
【００５１】
本発明は、前記実施例で示したものに限定されるものでは決してなく、「特許請求の範囲」の記載内で種々の設計変更が可能であることはいうまでもない。その一例を挙げれば次のようである。
【００５２】
(1) 前記網目基板６を構成する前記縦線状片２は、本発明に係る動物忌避ネット材１が縦方向に巻回可能なものであることから、その巻回の容易性を考慮してその断面形状が設定される。この断面形状は、前記した円形状の他、楕円形状等であってもよい。
又、前記第１の横線状片３や前記第２の横線状片５は、横方向に延長するものであって該巻回の障害になりにくいものであるため、その断面形状は、前記した円形状や楕円形状の他、正方形状や長方形状等の非円形状に形成されることもある。
【００５３】
(2) 前記実施例においては、前記第２の針状片１３の突出長さを前記第１の針状片１２の突出長さよりも小さく設定しているが、図２５に示すように、該第１、第２の針状片１２，１３の突出長さを同一に設定することもある。この場合は、平坦な忌避面２０が形成されることになる。
【００５４】
(3) 前記網目基板６を地面や芝生面等の設置面に安定的に敷設できる限り、網目基板の下面に前記食い込み突部２２が設けられないこともある。
【００５５】
(4) 前記第１、第２の係止部３６，３７は、前記した分離不能の凹凸嵌合方式の他、該第１の係止部３６が孔部として構成され、且つ該第２の係止部３７が該孔部に挿通される軸部として構成されて、両者が分離可能な係合状態を形成する等、互いに係合一体化し得る各種構成を採用できる。
【００５６】
(5) 前記アンカーピン２５は、アンカー軸２６の端部に押え部２７が設けられてなるが、該押え部２７は、前記したような鉤状に形成されることの他、前記縦線状片２や前記第１、第２の横線状片３，５を上から押えて忌避ネット具４１の敷設状態の安定性を確保し得る限り、図２６に示すように、フラットな押え面６３を有するものとして構成される等、各種に構成され得る。又、前記アンカー軸２６の断面形状は前記した丸軸状の他、四角軸状等であってもよい。
【００５７】
(6) 本発明に係る動物忌避ネット材１は、前記第１の針状片１２と前記第２の針状片１３を内側にして縦方向に巻回されるため、該第１、第２の針状片１２，１３の突出長さは、これらが動物の忌避作用を発揮できるように、且つ、巻回の妨げとならないように設定されるものであり、例えば１０〜５０ｍｍに設定される。
【００５８】
(7) 本発明に係る動物忌避ネット材１の横幅は、これを切断して形成される忌避ネット具４１の使用態様に応じて前記よりも広幅に形成されることがある。又、その長さは、巻回物の取り扱い性を考慮して所要に設定される。巻回物４０をそのまま購入し、これをそのまま忌避ネット具として使用することもあることに鑑み、例えば２ｍ程度の短い長さに設定されることもある。
【００５９】
(8) 前記網目基板６を構成する前記網目７は、前記した正方形状に形成されることの他、第１、第２の針状片１２，１３の上端が形成する忌避面２０が猫や犬等の動物を忌避できる限り、図２７、図２８に示すように長方形状に形成されることもある。この場合、第２の横線状片５の一部分をなす前記連結片１０が、図２８に示すように、前記網目７の隣り合う縦線状片部分８，８間に、縦方向で見て複数本、所要間隔を置いて平行状態で配設されることもある。かかる態様も、本発明における、横方向に延長する線状を呈する第１の横線状片３と第２の横線状片５を縦方向Ｆ１に所要間隔を置いて交互に平行状態で配設してなる構成の他の例である。即ち、第２の横線状片５の平行する複数本の組を以て、該第２の横線状片５と見る場合があるということである。
【００６０】
(9) 前記忌避ネット具４１を、猫や犬を避けるために敷設する場合、これを花壇の土の上面に敷設することもあり、又、プランターの回りに敷設することやプランターの土の上面に敷設することもある。更には、家庭の庭や家庭菜園等で猫や犬を避けるために、種々の敷設状態で使用することもある。
【００６１】
(10)本発明に係る動物忌避ネット材１は、猪避けや鹿避け等の目的で地面に敷設されることがある他、鳥避けの目的で使用されることもある。これらの場合、地面の他、コンクリート面に敷設されることもある。更に、樹木の保護のために、樹木の幹に巻き付けて使用されることもある。
【図面の簡単な説明】
【００６２】
【図１】本発明に係る動物忌避ネット材の巻回状態を一部巻き戻された状態で示す斜視図である。
【図２】動物忌避ネット材を示す部分斜視図である。
【図３】その部分平面図である。
【図４】縦線状片と第１の横線状片と第２の横線状片を示す断面図である。
【図５】Ｔ字状を呈する拡大補強交差部を示す平面図と断面図である。
【図６】十字状を呈する拡大補強交差部を示す平面図と断面図である。
【図７】菱形状の拡大補強交差部を示す平面図と断面図である。
【図８】第２の針状片の傾動状態を示す斜視図である。
【図９】その側面図である。
【図１０】凹凸面を呈する忌避面を説明する断面図である。
【図１１】網目基板の下面を示す部分斜視図である。
【図１２】収容開口におけるアンカーピンの配設状態を示す斜視図である。
【図１３】収容開口のアンカーピンを分離した状態を示す斜視図である。
【図１４】第１の係止部と第２の係止部とを係合させる作業工程を説明する断面図である。
【図１５】第１の係止部と第２の係止部とを係合させて忌避ネット具相互を連結した状態を示す部分斜視図である。
【図１６】その部分断面図である。
【図１７】動物忌避ネット材を巻回した際における第２の針状片の傾動状態を説明する側面図である。
【図１８】忌避ネット具を花壇の周囲に敷設した状態を示す部分平面図である。
【図１９】忌避ネット具の、第１の係止部が設けられている第２の横線状片の際部分で、縦線状片を切断した状態を示す平面図である。
【図２０】第１の係止部と第２の係止部とを係合させることにより忌避ネット具相互を９０度の屈曲状態で連結した状態を示す平面図と断面図である。
【図２１】忌避ネット具相互を９０度の屈曲状態で連結した連結部を示す平面図である。
【図２２】忌避ネット具相互を横方向に連結した状態を示す平面図である。
【図２３】忌避ネット具をアンカーピンで地面に固定した状態を示す断面図である。
【図２４】第１の針状片の先端が猫等の動物の足裏面に当たった状態を示す説明図である。
【図２５】平坦な忌避面を示す説明図である。
【図２６】アンカーピンの他の態様をその使用状態で示す断面図である。
【図２７】網目が長方形状に形成されてなる網目基板を示す部分平面図である。
【図２８】網目が長方形状に形成されてなる網目基板のその他の態様を示す部分平面図である。
【符号の説明】
【００６３】
１  動物忌避ネット材
２  縦線状片
３  第１の横線状片
５  第２の横線状片
６  網目基板
７  網目
８  縦線状片部分
９  縦線状片と第１の横線状片との交差部
１０  連結片
１１  網目基板の上面
１２  第１の針状片
１３  第２の針状片
２０  忌避面
２２  食い込み突部
２３  収容開口
２５  アンカーピン
２６  アンカー軸
２７  押え部
２９  アンカー突部
３６  第１の係止部
３７  第２の係止部
４０  巻回物
４１  忌避ネット具
４５  係止孔
４６  係止枠
５９  地面
６２  足裏面
【図１】
0004532573.tif 000002
【図２】
0004532573.tif 000003
【図３】
0004532573.tif 000004
【図４】
0004532573.tif 000005
【図５】
0004532573.tif 000006
【図６】
0004532573.tif 000007
【図７】
0004532573.tif 000008
【図８】
0004532573.tif 000009
【図９】
0004532573.tif 000010
【図１０】
0004532573.tif 000011
【図１１】
0004532573.tif 000012
【図１２】
0004532573.tif 000013
【図１３】
0004532573.tif 000014
【図１４】
0004532573.tif 000015
【図１５】
0004532573.tif 000016
【図１６】
0004532573.tif 000017
【図１７】
0004532573.tif 000018
【図１８】
0004532573.tif 000019
【図１９】
0004532573.tif 000020
【図２０】
0004532573.tif 000021
【図２１】
0004532573.tif 000022
【図２２】
0004532573.tif 000023
【図２３】
0004532573.tif 000024
【図２４】
0004532573.tif 000025
【図２５】
0004532573.tif 000026
【図２６】
0004532573.tif 000027
【図２７】
0004532573.tif 000028
【図２８】
0004532573.tif 000029